(57)【要約】【課題】画像読取り装置において、装置の管理負担を可及的に抑制しながら、画像読取対象物に形成されている画像を読取るための光路中に存在する塵埃に的確に対処できるようにする。【解決手段】画像読取対象物に形成されている画像を結像光学系にて画像検出用センサＩＳに結像して画像を検出する画像読取装置において、検出画像データ中の異常画像データの発生原因となる塵埃の存在位置が、塵埃の除去が可能な部位として予め設定されている除去可能部位に付着しているか否かを特定する付着部位特定手段ＰＩと、前記除去可能部位に付着しているものと特定されたときにその旨を報知して塵埃の除去を要求し、且つ、前記除去可能部位以外の部位に付着しているものと特定されたときに前記画像データ補正手段に前記補正処理を実行させる管理手段ＭＰとが設けられている。【選択図】        図２
2004228889.tif 000002
【特許請求の範囲】
【請求項１】
画像検出用センサと、
画像読取対象物に形成されている画像を前記画像検出用センサに結像するための結像光学系と、
前記画像検出用センサにて検出された画像の画像データに、画像読取り用の光路中に存在する塵埃により発生する異常画像データが存在するか否かを推定する異常データ推定手段と、
前記異常画像データを補正処理する画像データ補正手段とが備えられた画像読取装置であって、
前記異常画像データが存在すると推定されたときに、その異常画像データの発生原因となる塵埃の存在位置が、塵埃の除去が可能な部位として予め設定されている除去可能部位に付着しているか否かを特定する付着部位特定手段と、
前記除去可能部位に付着しているものと特定されたときにその旨を報知して塵埃の除去を要求し、且つ、前記除去可能部位以外の部位に付着しているものと特定されたときに前記画像データ補正手段に前記補正処理を実行させる管理手段とが設けられている画像読取装置。
【請求項２】
前記付着部位特定手段は、前記結像光学系におけるフォーカス調整又はズーム調整の実行による前記画像検出用センサの検出画像データの変化によって、塵埃が前記除去可能部位に付着しているか否かを特定するように構成されている請求項１記載の画像読取装置。
【請求項３】
前記画像読取対象物が写真フィルムであり、
前記付着部位特定手段は、１本分の写真フィルムの画像の読取り毎に、その写真フィルムの読取り開始前に、塵埃が前記除去可能部位に付着しているか否かを特定する処理を実行するように構成されている請求項１又は２記載の画像読取装置。
【発明の詳細な説明】
【０００１】
【発明の属する技術分野】
本発明は、画像検出用センサと、画像読取対象物に形成されている画像を前記画像検出用センサに結像するための結像光学系と、前記画像検出用センサにて検出された画像の画像データに、画像読取り用の光路中に存在する塵埃により発生する異常画像データが存在するか否かを推定する異常データ推定手段と、前記異常画像データを補正処理する画像データ補正手段とが備えられた画像読取装置に関する。
【０００２】
【従来の技術】
かかる画像読取装置は、例えば写真フィルム等の画像読取対象物を所定の位置に配置した状態で、その画像読取対象物に形成されている画像を結像光学系にてラインセンサあるいはイメージセンサ等の画像検出用センサの受光面上に結像させて、前記画像読取対象物に形成されている画像を前記画像検出用センサの検出画像データとして取得する装置である。
かかる画像読取装置では、写真フィルムに付着した塵埃等によって前記画像検出用センサの検出画像データ中に、その塵埃等に起因する異常画像データが含まれてしまう場合があることを考慮して、前記画像検出用センサの検出画像データにそのような異常画像データが存在するか否かを推定する手段と、前記異常画像データが存在すると判断した場合に、その異常画像データが目立たないように画像データを補正する手段とが備えられる場合が多い。
【０００３】
又、下記特許文献１に記載のように、画像読取対象物であるフィルムを照明するための光路に備えられる拡散板に塵埃が付着しているか否かを検出し、塵埃が付着していることを検出すれば、その拡散板を移動させるかあるいはブラシでの除去を行うことも考えられている。
【０００４】
【特許文献１】
特開２００１−１４８７６９号公報
【０００５】
【発明が解決しようとする課題】
しかしながら、画像読取対象物に形成されている画像を読取るための光路中に塵埃が存在していることを検出する度に、操作者に対して塵埃の除去作業を要求していたのでは、装置の管理負担が過大なものとなってしまう不都合がある。
本発明は、かかる実情に鑑みてなされたものであって、その目的は、装置の管理負担を可及的に抑制しながら、画像読取対象物に形成されている画像を読取るための光路中に存在する塵埃に的確に対処できるようにする点にある。
【０００６】
【課題を解決するための手段】
上記請求項１記載の構成を備えることにより、画像検出用センサと、画像読取対象物に形成されている画像を前記画像検出用センサに結像するための結像光学系と、前記画像検出用センサにて検出された画像の画像データに、画像読取り用の光路中に存在する塵埃により発生する異常画像データが存在するか否かを推定する異常データ推定手段と、前記異常画像データを補正処理する画像データ補正手段とが備えられた画像読取装置において、前記異常画像データが存在すると推定されたときに、その異常画像データの発生原因となる塵埃の存在位置が、塵埃の除去が可能な部位として予め設定されている除去可能部位に付着しているか否かを特定する付着部位特定手段と、前記除去可能部位に付着しているものと特定されたときにその旨を報知して塵埃の除去を要求し、且つ、前記除去可能部位以外の部位に付着しているものと特定されたときに前記画像データ補正手段に前記補正処理を実行させる管理手段とが設けられている。
【０００７】
すなわち、画像読取対象物に形成されている画像を読取るための光路には、装置の操作者が容易に塵埃を除去できる部位（前記除去可能部位）と、装置の操作者が安易に取り扱うと装置の調整状態を不適正なものとしてしまう虞がある等の理由により操作者が塵埃除去作業を行うのが適切でない部位とが存在する。
このような部位を前記除去可能部位とそれ以外の部位として予め区分しておき、塵埃が前記除去可能部位に存在するものと特定された場合のみ、除去すべき塵埃が存在することを操作者に対して報知して塵埃の除去を要求するものとし、前記除去可能部位以外の部位に塵埃が存在するものと特定されたときは、前記画像データ補正手段にて前記光路中に存在する塵埃によるものと推定される異常画像データを補正するのである。このような画像データの補正機能は、画像読取対象物自体に存在するキズあるいは塵埃による異常画像データの補正処理のために備えられ場合が多く、そのような機能が備えられている場合にはその機能をそのまま流用することができる。
もって、装置の管理負担を可及的に抑制しながら、画像読取対象物に形成されている画像を読取るための光路中に存在する塵埃に的確に対処できるものとなった。
【０００８】
又、上記請求項２記載の構成を備えることにより、前記付着部位特定手段は、前記結像光学系におけるフォーカス調整又はズーム調整の実行による前記画像検出用センサの検出画像データの変化によって、塵埃が前記除去可能部位に付着しているか否かを特定するように構成されている。
すなわち、画像読取対象物に形成されている画像を読み取るための光路に塵埃が存在する場合に、その塵埃が画像検出用センサの検出画像データに悪影響を及ぼすのは、結像光学系においては画像読取対象物の配置位置付近と画像検出用センサの受光面付近であり、このうち、画像検出用センサの受光面付近は精密に調整されており、操作者が安易にアクセスするのを許容するのは好ましくない。
【０００９】
従って、画像読取対象物の配置位置付近を前記除去可能部位とし、画像検出用センサの受光面付近を前記除去可能部位以外の部位として設定し、前記結像光学系におけるフォーカス調整又はズーム調整の実行によって、前記異常画像データの発生原因となった塵埃の存在位置が前記除去可能部位か否かを特定するのである。
つまり、塵埃の存在位置が前記画像検出用センサの受光面付近であれば、塵埃の存在位置が前記画像読取対象物の配置位置付近である場合に比べて、前記結像光学系のフォーカス調整又はズーム調整による前記異常画像データの変化が小さいので、上記のような部位の特定が可能となるのである。
これによって、実用上で問題となる範囲において簡便に塵埃の存在部位を特定でき、装置コストの増大を抑制することができる。
【００１０】
又、上記請求項３記載の構成を備えることにより、前記画像読取対象物が写真フィルムであり、前記付着部位特定手段は、１本分の写真フィルムの画像の読取り毎に、その写真フィルムの読取り開始前に、塵埃が前記除去可能部位に付着しているか否かを特定する処理を実行するように構成されている。
すなわち、画像読取装置が写真フィルムの駒画像の読取り装置として構成されている場合において、１本分の写真フィルムの画像の読取り毎に、その写真フィルムの読取り開始前に、塵埃が前記除去可能部位に付着しているか否かを特定する処理を実行することで、写真フィルムに形成されている画像の影響を全く受けずに、より精度良く前記光路中の塵埃の存否の推定及び付着部位の特定を行うことができる。
【００１１】
【発明の実施の形態】
以下、本発明の画像読取装置を写真プリントシステムに備えた場合の実施の形態を図面に基づいて説明する。
本実施の形態で例示する写真プリントシステムＤＰは、図１に示すように、現像処理済みの写真フィルム１（以下、単に「フィルム１」と略称する）の駒画像を読み取る写真フィルム読取装置ＦＳと、写真フィルム読取装置ＦＳにて読み取った駒画像を印画紙２に露光し且つ現像処理する露光・現像装置ＥＰとが備えられ、いわゆるデジタルミニラボ機として知られているシステムである。
本実施の形態の画像読取装置は、露光・現像装置ＥＰの一部と写真フィルム読取装置ＦＳとによって構成されている。
【００１２】
〔写真フィルム読取装置ＦＳの概略構成〕
写真フィルム読取装置ＦＳの本体内には、画像読取対象物であるフィルム１を被写体とする撮像装置として構成されており、写真フィルム読取装置ＦＳの筐体内には、図１に概略的に示すように、ハロゲンランプ１０と、光ファイバー束にて構成されるライトガイド１１と、フィルム１に形成された駒画像を撮像するための画像検出用センサＩＳとしてのＣＣＤラインセンサユニット１３と、フィルム１の画像をＣＣＤラインセンサユニット１３の受光面上に結像させるための結像光学系ＦＯを構成するレンズ１４と、光路を９０度屈曲させるためのミラー１５と、ハロゲンランプ１０とライトガイド１１の光入射端との間に出退可能に配置される装置調整用のセットアップフィルタ１６と、このセットアップフィルタ１６を出退駆動するためのモータ１７とが備えられ、レンズ１４にはフォーカス調整用のモータ１８が備えられている。
写真フィルム読取装置ＦＳの本体内には、更に、制御及び信号処理関係の回路として、図２にブロック図として示すように、画像検出用センサＩＳ（ＣＣＤラインセンサユニット１３）の出力信号を増幅及びＡ／Ｄ変換等する信号処理回路１９と、フォーカス調整用のモータ１８を制御するレンズ制御部２０とが備えられている。
【００１３】
写真フィルム読取装置ＦＳにおける筐体外部には、ライトガイド１１の光出射端の下部に位置する状態で、図示を省略するフィルム搬送機構やフィルムマスク等が備えられてフィルム１を所定の読取り位置に位置させるフィルムマスクユニット１２が着脱自在に備えられ、フィルムマスクユニット１２内には、前記フィルム搬送機構に備えられたフィルム搬送用モータを制御してフィルム１を搬送制御するフィルム搬送制御部２１が備えられている（図２を参照）。
【００１４】
ＣＣＤラインセンサユニット１３は、約５０００個のＣＣＤ素子をフィルム１の幅方向に配列したＣＣＤラインセンサを合計で４列に並べて備えており、各ＣＣＤラインセンサの受光面には夫々赤色、緑色、青色のカラーフィルタ及び赤外光透過フィルタが形成されて、フィルム１の駒画像を赤色、緑色及び青色に色分解して検出すると共に、フィルム１の赤外線透過画像をも検出する。
写真フィルム読取装置ＦＳでは、フィルムマスクユニット１２にフィルム１が装填されると、詳しくは後述する塵埃対策処理を実行した上で、フィルム搬送機構によって搬送移動されるフィルム１の駒画像が順次読み取られて行く。
【００１５】
〔露光・現像装置ＥＰの全体構成〕
露光・現像装置ＥＰは、写真フィルム読取装置ＦＳとは別体で構成されており、筐体内部には、印画紙２に対してレーザビームを走査することにより印画紙２上に露光画像を形成する画像露光ユニット３０と、画像露光ユニット３０にて露光された印画紙２を現像処理する現像処理部３１と、印画紙マガジン３２から引き出されてカッタ３９にて切断された印画紙２を現像処理部３１へ搬送する印画紙搬送系ＰＴとが設けられ、筐体外部には、現像処理部３１から排出された印画紙２をソータ（図示を省略）へ搬送する排出コンベア３３が設けられ、更に、これら各部を制御する露光制御装置３４が筐体内に設けられている。
【００１６】
露光制御装置３４には、プリント画像をシミュレートして表示すると共に各種の情報を表示するモニタ３５と、操作者がそのモニタ３５に表示されたシミュレート画像を観察して露光条件の補正量を指示入力する他、各種の指示を入力するための操作卓３６と、ＭＯドライブ装置やＣＤ−Ｒドライブ装置等の外部入出力装置３７とが接続されている。外部入出力装置３７を備えることによって、写真フィルム読取装置ＦＳから入力されたフィルム１の画像データ以外に、ＣＤ−Ｒメディア等の各種の記録媒体に記録された画像データによって写真プリントを作製することができると共に、写真フィルム読取装置ＦＳにて読み取った画像データをそれらの記録媒体に記録保存することができる。
【００１７】
露光制御装置３４には、フィルム１にキズあるいは塵埃等が付いていることによってＣＣＤラインセンサユニット１３の検出画像データに異常画像データが含まれている場合に、その異常画像データを補正する機能（キズ消し処理機能）が備えられており、そのために、写真フィルム読取装置ＦＳの信号処理回路１９から出力された画像データに前記キズあるいは塵埃等による異常画像データが含まれているか否かを判別する異常データ判別回路４１と、異常データ判別回路４１によって前記異常画像データが存在すると判別されたときにその異常画像データを補正する異常データ補正回路４２と、これらの回路を制御する画像処理制御部４３とが備えられている。
【００１８】
異常データ判別回路４１は、フィルム１の赤外線透過画像データが、フィルム１に撮影されている被写体画像は画像データとして反映されず、フィルム１に付いたキズや塵埃等はそのキズ等での赤外光の散乱によって画像データに反映されるのを利用して、信号処理回路１９から受け取る画像データのうち主に赤外線透過画像データに基づいてキズ等の存否を判別する。
異常データ補正回路４２は、上述のようにしてキズ等による異常画像データであると判別されたときに、その異常画像データを周囲の正常な画像データを利用してキズ等の存在が目立たなくなるように補正処理する。
異常データ補正回路４２にて補正処理された画像データは、後段に備えられている画像処理回路にて更に画像処理される。
【００１９】
〔露光制御装置３４によるフィルム１の画像の読取り制御〕
露光制御装置３４に備えられた画像処理制御部４３は、写真フィルム読取装置ＦＳにおけるフィルム１の読取り動作も制御しており、その制御動作を、図３のフローチャートに基づいて説明する。
画像処理制御部４３は、このフィルム１の駒画像の読取り動作の制御において、１本分のフィルム１の画像の読取り毎に、写真フィルム読取装置ＦＳの画像読取り用の光路中に塵埃が存在するか否かを推定すると共に、その塵埃が除去可能な部位に付着しているか否かを特定して、その特定結果に応じて対処する。
本実施の形態では、フィルムマスクユニット１２の着脱等に代表されるように本来的に操作者がアクセスすることを予定しているフィルム１の通過位置付近を、塵埃の除去が可能部位（除去可能部位）として予め設定している。この除去可能部位において、実際に塵埃が付着する可能性が高い位置としては、ライトガイド１１の光出射端の直下に配置される拡散板（図示を省略）や、写真フィルム読取装置ＦＳ本体におけるフィルムマスクユニット１２取付け面に設置されているガラス板（図示を省略）の上面側等がある。
【００２０】
画像処理制御部４３は、フィルム１がフィルムマスクユニット１２に装填される度に図３の処理を開始し、先ず、フィルム１の先端が画像読取り用の光路に進入していない状態で、信号処理回路１９からＣＣＤラインセンサユニット１３の検出画像データを取り込む（ステップ＃１）。
取り込んだ画像データは、異常データ判別回路４１へ入力され、フィルム１に付いたキズ等の検出処理と同様の処理によって異常画像データが存在するか否かが判別され、その判別結果が画像処理制御部４３へ入力される。
この時点では、フィルム１は画像読取り用の光路中に進入していないので、画像処理制御部４３へ入力される判別結果がキズ等が存在することを示す信号に相当するものであれば、前記異常画像データの発生原因は、前記光路中に存在する塵埃によるものであると推定できる。
すなわち、フィルム１に付いたキズ等を検出するための異常データ判別回路４１を、ＣＣＤラインセンサユニット１３にて検出された画像の画像データに、画像読取り用の光路中に存在する塵埃により発生する異常画像データが存在するか否かを推定する異常データ推定手段ＤＳとしても機能させているのである。
【００２１】
前記異常画像データが存在すると判別されたときは（ステップ＃２）、写真フィルム読取装置ＦＳのレンズ制御部２０に対してフォーカス調整によって合焦位置をずれさせるように指令する（ステップ＃４）。
画像処理制御部４３は、結像光学系ＦＯをフォーカス調整して合焦位置をずれさせたときの前後で、ＣＣＤラインセンサユニット１３の検出画像データを前記異常画像データの存在箇所周辺部分について異常データ判別回路４１から取り込み（ステップ＃３，＃５）、両者の画像データの変化が設定値よりも大きいか否かを判断する（ステップ＃７）。例えばＣＣＤラインセンサユニット１３の受光面上のようなＣＣＤラインセンサユニット１３付近に塵埃が付着している場合は、上記のようにフォーカスにて合焦位置をずれさせても前記異常画像データの変化は十分に小さいのに対して、塵埃がフィルム１の通過位置付近に付着している場合は、合焦位置をずれさせることで塵埃の像の大きさ及び画像データのデータ値自体が大きく変化する。そこで、両者を区別できる設定値を像の大きさの変化及び画像データのデータ値自体の変化の両方について、あるいは、何れか一方について設定しておき、前記異常画像データの変化がその設定値よりも大であれば、塵埃はフィルム１の通過位置付近（前記除去可能部位）に付着しているものと特定できるのである。従って、画像処理制御部４３は、前記異常画像データが存在すると推定されたときに、その異常画像データの発生原因となる塵埃の存在位置が、前記除去可能部位に付着しているか否かを特定する付着部位特定手段ＰＩとして機能する。
【００２２】
前記異常画像データの変化が大きく、塵埃がフィルム１の通過位置付近に付着しているものと特定したときは（ステップ＃７）、モニタ３５に、フィルム１の通過位置付近に塵埃が付着しており、その塵埃を除去すべき旨を表示し（ステップ＃８）、除去作業が完了するまで処理を停止する（ステップ＃９）。
操作者がフィルムマスクユニット１２等を取り外してブロアやブラシ等によって塵埃の除去作業を行い、除去作業を完了したことを操作卓３６から入力すると（ステップ＃９）、ステップ＃１から処理を再開して塵埃が除去されたことを確認する（ステップ＃２）。前記異常画像データが消失して塵埃が除去されたことを確認すると、フィルム搬送制御部２１に対してフィルム１の搬送開始を指示すると共に（ステップ＃１１）、信号処理回路１９の出力データを取り込んでフィルム１の駒画像の画像データを順次に読み取って行く（ステップ＃１２）。このようにして読み取られた画像データは、必要に応じて上記異常データ判別回路４１等によるキズ消し処理や他の画像処理が施されて画像露光ユニット３０にて露光するための露光用画像データに変換されて行く。
【００２３】
一方、ステップ＃７において、結像光学系ＦＯの合焦位置をずらせた前後での前記異常画像データの変化が前記設定値よりも小さく、塵埃がＣＣＤラインセンサユニット１３付近に付着しているものと特定されたときは、その異常画像データの位置及びデータ値自体を記憶する補正処理登録を行う（ステップ＃１０）。
この後、前記異常画像データが存在しない場合と同様に、フィルム搬送制御部２１に対してフィルム１の搬送開始を指示すると共に（ステップ＃１１）、信号処理回路１９の出力データを取り込んでフィルム１の駒画像の画像データを順次に読み取って行く（ステップ＃１２）。
【００２４】
このように、ＣＣＤラインセンサユニット１３付近に塵埃が付着している場合に、塵埃の除去作業を要求しないのは、必ずしも装置の精密な調整作業を行えるとは限らない操作者が、不用意に精密に調整された部位にアクセスするのを防ぐためである。
但し、前記異常画像データが存在する画像データによって前記露光用画像データを生成したのではプリント画質が劣化してしまうため、ステップ＃１０において登録されている補正処理用のデータを利用して、異常データ補正回路４２に対して画像データの補正処理を指示する（ステップ＃１３，＃１４）。従って、異常データ補正回路４２は、前記異常画像データを補正処理する画像データ補正手段ＩＣとして機能する。
【００２５】
又、以上から、画像処理制御部４３は、塵埃が前記除去可能部位に付着しているものと特定されたときにその旨をモニタ３５にて報知して塵埃の除去を要求し、且つ、前記除去可能部位以外の部位に付着しているものと特定されたときに異常データ補正回路４２（画像データ補正手段ＩＣ）に補正処理を実行させる管理手段ＭＰとしても機能している。
尚、ステップ＃１０による補正処理登録は行わず、異常データ判別回路４１等による通常のキズ消し処理をそのまま適用して前記異常画像データを補正しても良い。
【００２６】
〔露光・現像装置ＥＰの概略動作〕
上述のようにしてフィルム１の駒画像が読み取られると、露光制御装置３４は、上記の各種の画像処理と共に、検出画像データに基づいて写真プリントを作製したときに得られるであろう画像をシミュレート演算により求めてモニタ３５に表示する。
操作者は、モニタ３５に表示されたシミュレート画像を観察して、適宜露光条件の補正入力を操作卓３６から行う。
露光制御装置３４は、操作卓３６から補正入力があると、その指示に基づいて露光条件を補正演算して露光用の画像データを生成し、その画像データに基づいて画像露光ユニット３０を駆動して、画像露光ユニット３０の露光位置を搬送される印画紙２に対して露光作動させ潜像を形成する。
画像露光ユニット３０にて露光処理された印画紙２は、現像処理部３１にて現像処理及び乾燥処理された後、排出コンベア３３上に排出される。
【００２７】
〔別実施形態〕
以下、本発明の別実施形態を列記する。
（１）上記実施の形態では、結像光学系ＦＯにおいてフォーカス調整にて合焦位置をずれさせたときの前記検出画像データの変化によって、塵埃の付着位置が前記除去可能部位か否かを特定しているが、レンズ１４をズームレンズにて構成し、ズーム調整にて像倍率を変化させたときの前記検出画像データの変化によって、塵埃の付着位置が前記除去可能位置か否かを特定しても良い。
すなわち、塵埃がフィルム１の通過位置付近（前記除去可能部位）に付着している場合には、前記ズーム調整によって塵埃の像の大きさが変化するのに対して、塵埃がＣＣＤラインセンサユニット１３付近に付着している場合には、塵埃の像の大きさがそれほど変化しないことから付着部位を特定できるのである。
【００２８】
（２）上記実施の形態では、写真フィルム読取装置ＦＳにおける画像読取り用の光路中にフィルム１を位置させない状態でＣＣＤラインセンサユニット１３の検出画像データを取り込んで塵埃の付着部位の特定等を行っているが、フィルム１の駒画像を読み取って、実際の駒画像の検出画像データに基づいて前記光路中の塵埃の存否の推定及び塵埃の存在位置の特定を行っても良い。
（３）上記実施の形態では、本発明の画像読取装置を写真フィルム読取装置ＦＳとして具体化した場合を例示しているが、いわゆるフラットベッドスキャナにも本発明を適用できる。
（４）上記実施の形態では、画像読取り用の光路中に塵埃が存在しているか否かを赤外線透過画像データを用いて推定する場合を例示しているが、赤色，緑色及び青色等の可視領域の実画像データに基づいて前記光路中の塵埃の存否を検出するようにしても良い。
【００２９】
（５）上記実施の形態では、いわゆるフィルム１のキズ消し処理のために備えられている異常データ判別回路４１や異常データ補正回路４２を、画像読取り用の光路中に存在する塵埃に対する処理にも兼用しているが、いわゆるフィルム１のキズ消し処理機能は備えずに、画像読取り用の光路中に存在する塵埃に対する処理専用の回路として備えても良い。
（６）上記実施の形態では、画像検出用センサＩＳとしてＣＣＤラインセンサユニット１３を例示しているが、受光素子を２次元配列したイメージセンサを画像検出用センサＩＳとして用いても良い。
【００３０】
（７）上記実施の形態では、塵埃が前記除去可能部位以外の部位に付着しているときに、そのままフィルム１の画像の読取り及び露光処理へ移行する場合を例示しているが、その処理と並行して、除去できない塵埃が存在することをモニタ３５等の表示装置に表示するようにしても良い。
（８）上記実施の形態では、前記除去可能部位に塵埃が付着している旨をモニタ３５にて報知する場合を例示しているが、具体的な報知形態としては、例えばブザーやランプ等にて報知するようにしても良い。
（９）上記実施の形態では、１本のフィルム１の画像の読取り毎に前記光路中の塵埃の存否の推定等を行うについて、フィルム１をフィルムマスクユニット１２に装填した時点で前記塵埃の存否の推定等の処理を実行しているが、この処理の実行タイミングは適宜変更可能であり、もちろん、フィルム１をフィルムマスクユニット１２に装填する前に実行しても良い。
又、前記光路中の塵埃の存否の推定等の処理を、１本のフィルム１の読取り毎に行うのではなく、複数本毎に行うように設定しても良い。
（１０）上記実施の形態では、単にフォーカス調整にて合焦位置をずれさせて検出画像データの変化を検出しているが、合焦位置を変化させて塵埃にピントを合わせ、塵埃の塵埃の存在位置をより詳細に特定するように構成しても良い。
【００３１】
【発明の効果】
上記請求項１記載の構成によれば、画像読取り用の光路を前記除去可能部位とそれ以外の部位として予め区分しておき、塵埃が前記除去可能部位に存在するものと特定された場合のみ、除去すべき塵埃が存在することを操作者に対して報知して塵埃の除去を要求するものとし、前記除去可能部位以外の部位に塵埃が存在するものと特定されたときは、前記画像データ補正手段にて前記光路中に存在する塵埃によるものと推定される異常画像データを補正するのである。このような画像データの補正機能は、画像読取対象物自体に存在するキズあるいは塵埃による異常画像データの補正処理のために備えられ場合が多く、そのような機能が備えられている場合にはその機能をそのまま流用することができる。
もって、装置の管理負担を可及的に抑制しながら、画像読取対象物に形成されている画像を読取るための光路中に存在する塵埃に的確に対処できるものとなった。
【００３２】
又、上記請求項２記載の構成によれば、塵埃の存在位置が前記画像検出用センサの受光面付近であれば、塵埃の存在位置が前記画像読取対象物の配置位置付近である場合に比べて、前記結像光学系のズーム調整又はフォーカス調整による前記異常画像データの変化が小さいので、塵埃が付着する部位の特定が可能となる。
これによって、実用上で問題となる範囲において簡便に塵埃の存在部位を特定でき、装置コストの増大を抑制することができる。
又、上記請求項３記載の構成によれば、画像読取装置が写真フィルムの駒画像の読取り装置として構成されている場合において、１本分の写真フィルムの画像の読取り毎に、その写真フィルムの読取り開始前に、塵埃が前記除去可能部位に付着しているか否かを特定する処理を実行することで、写真フィルムに形成されている画像の影響を全く受けずに、より精度良く前記光路中の塵埃の存否の推定及び付着部位の特定を行うことができる。
【図面の簡単な説明】
【図１】本発明の実施の形態にかかる写真プリントシステムの概略構成図
【図２】本発明の実施の形態にかかる要部ブロック構成図
【図３】本発明の実施の形態にかかるフローチャート
【符号の説明】
１    写真フィルム
ＤＳ  異常データ推定手段
ＦＯ  結像光学系
ＩＣ  画像データ補正手段
ＩＳ  画像検出用センサ
ＭＰ  管理手段
ＰＩ  付着部位特定手段
【図１】
2004228889.tif 000003
【図２】
2004228889.tif 000004
【図３】
2004228889.tif 000005